(57)【要約】  ヘッドコンバータは、ブレードユニット（１００）と連結されるように構成されたフレーム（１３０）と、フレームと枢動可能に連結されかつハンドル（１９０）と連結されるように構成された相互接続部材（１６０）とを含む。フレームは長手方向軸に沿って延在し、１つまたは複数の（１３２）を含む。フレームの支持体の少なくとも１つは、付勢部材（１９８）と当接してこれと相互作用するように構成されたカム面（１５２）を有する。【選択図】図４Ａ
2020516330.tif 000002
【特許請求の範囲】
【請求項１】
ヘッドコンバータ（１２）であって
ブレードユニット（１００）と連結するように構成されたフレーム（１３０）であって、前記フレームが長手方向軸に沿って延在し、
一つまたは複数の支持体（１３２）であって、前記１つまたは複数の支持体（１３２）のうちの少なくとも１つが付勢部材（１９８）と当接し相互作用するように構成されたカム面（１５２）を有する、支持体（１３２）を含む、フレーム（１３０）と、
前記フレーム（１３０）と枢動可能に連結され、ハンドル（１９０）と連結されるように構成された相互接続部材（１６０）と、を備えるヘッドコンバータ（１２）。
【請求項２】
前記ブレードユニット（１００）が、第１の枢動軸（１００Ｐ）を有し、
前記ブレードユニット（１００）と前記フレーム（１３０）が連結されているときに、前記ブレードユニット（１００）を有する前記フレーム（１３０）は、第２の枢動軸（１３Ｐ）に沿って枢動し、
前記第１の枢動軸（１３０）と前記第２の枢動軸（１３Ｐ）が異なる、請求項１に記載のヘッドコンバータ（１２）。
【請求項３】
前記フレーム（１３０）と前記支持体（１３２）は、前記ブレードユニット（１００）の底部側（１３９）に支持を提供するように構成されている、請求項１に記載のヘッドコンバータ（１２）。
【請求項４】
前記ブレードユニット（１００）が前記フレーム（１３０）およびシート（１４０）内に着座することによって前記フレーム（１３０）に接続されるように前記フレーム（１３０）から延びる前記シート（１４０）をさらに備え、
前記シート（１４０）の上面（１５０）は、潤滑剤、滑走補助装置、またはガードバーとして機能するように構成されている、請求項３に記載のヘッドコンバータ（１２）。
【請求項５】
前記１つまたは複数の支持体（１３２）のうちの少なくとも１つが、連結構造（１３３）を有し、前記連結構造（１３３）は、前記ブレードユニット（１００）が前記フレーム（１３０）と連結するように前記ブレードユニット（１００）上の対応するフック（１２０）と相互作用するように構成されている、請求項１に記載のヘッドコンバータ（１２）。
【請求項６】
前記フレーム（１３０）が前記ブレードユニット（１００）と取り外し可能に連結されるように構成されている、請求項１に記載のヘッドコンバータ（１２）。
【請求項７】
前記フレーム（１３０）は、前記ブレードユニット（１００）が、前記フレーム（１３０）と連結されるように前記ブレードユニット（１００）内の対応する凹部（３２２）によって受容されるように構成された少なくとも１つの突起（３３３）を含む、請求項１に記載のヘッドコンバータ（１２）。
【請求項８】
前記相互接続部材（１６０）は、前記ハンドル（１９０）の接続部（１９６）を受けるように構成された凹部（１６３）、および前記ハンドル（１９０）の前記付勢部材（１９８）が、そこを通って前記フレーム（１３０）の前記カム面（１５２）と相互作用するように延びる開口部（１６４）を含む、請求項１に記載のヘッドコンバータ（１２）。
【請求項９】
前記フレーム（１３０）は、２つの窪み（１５４）を含み、
前記相互接続部材（１６０）は、前記相互接続部材（１６０）が前記フレーム（１３０）と枢動可能に連結されるように前記フレーム（１３０）内の２つの窪み（１５４）に対応する２つの取り付け構成要素（１６６）を含み、
前記２つの取り付け構成要素（１６６）は、シェルベアリングである、請求項１に記載のヘッドコンバータ（１２）。
【請求項１０】
ハンドル（１９０）と、
前記ハンドル（１９０）に取り外し可能に連結されたヘッドコンバータ（１２）であって、
長手方向軸に沿って延び、
一つまたは複数の支持体（１３２）であって、前記１つまたは複数の支持体（１３２）のうちの少なくとも１つが付勢部材（１９８）と当接しそれと相互作用するように構成されたカム面（１５２）を有する、支持体（１３２）を含む、フレーム（１３０）と、
前記フレーム（１３０）と枢動可能に連結され、前記ハンドル（１９０）と連結されるように構成された相互接続部材（１６０）と、を含むヘッドコンバータ（１２）と、
前記ヘッドコンバータ（１２）と連結されたブレードユニット（１００）と、を備えるシェービングかみそり（１０）。
【請求項１１】
前記ブレードユニット（１００）は、第１の枢動軸（１３０）を有し、
前記ブレードユニット（１００）と前記フレーム（１３０）が連結されているときに、前記ブレードユニット（１００）を有するフレーム（１３０）は、第２の枢動軸（１３Ｐ）に沿って枢動し、
前記第１の枢動軸（１３０）と前記第２の枢動軸が異なる、請求項１０に記載のシェービングかみそり（１０）。
【請求項１２】
前記フレーム（１３０）および前記支持体（１３２）は、前記ブレードユニット（１００）の底部側（１３９）に支持を提供するように構成されている、請求項１０に記載のシェービングかみそり（１０）。
【請求項１３】
前記ブレードユニット（１００）が前記フレーム（１３０）およびシート（１４０）に着座することによって、前記フレーム（１３０）に接続されるように前記フレーム（１３０）から延びる前記シート（１４０）をさらに備え、
前記シート（１４０）の上面（１５０）は、潤滑剤、滑走補助装置、またはガードバーとして機能するように構成されている、請求項１４に記載のシェービングかみそり（１０）。
【請求項１４】
前記フレーム（１３０）が前記ブレードユニット（１００）と取り外し可能に連結されるように構成されている、請求項１０に記載のシェービングかみそり（１０）。
【請求項１５】
前記１つまたは複数の支持体（１３２）のうちの少なくとも１つが、連結構造（１３３）を有し、前記連結構造（１３３）は、前記ブレードユニット（１００）が前記フレーム（１３０）と連結するように前記ブレードユニット（１００）上の対応するフック（１２０）と相互作用するように構成されている、請求項１０に記載のシェービングかみそり（１０）。
【請求項１６】
前記フレーム（１３０）は、前記ブレードユニット（１００）が、前記フレーム（１３０）と連結されるように前記ブレードユニット（１００）内の対応する凹部（３２２）によって受容されるように構成された少なくとも１つの突起（３３３）を含む、請求項１０に記載のシェービングかみそり（１０）。
【請求項１７】
前記相互接続部材（１６０）は、前記ハンドル（１９０）の接続部（１９６）を受容するように構成された凹部（１６３）を含み、
前記相互接続部材（１６０）は、前記ハンドル（１９０）の前記付勢部材（１９８）が、そこを通って前記フレーム（１３０）の前記カム面（１５２）と相互作用するように延びる開口部（１６４）を含む、請求項１０に記載のシェービングかみそり（１０）。
【発明の詳細な説明】
【技術分野】
【０００１】
以下の説明は、ヘッドコンバータおよびヘッドコンバータを備えたシェービングかみそりに関する。ヘッドコンバータは、ブレードユニットと取り外し可能に連結されるように構成されたフレームを含む。フレームは、ハンドルと連結するように構成された相互接続部材と枢動可能に連結する。
【背景技術】
【０００２】
シェービングかみそりには、シェービングブレード、潤滑ストリップ、ガードバー、カバー、およびトリミングブレードなどの構成要素を含み得るブレードユニットが含まれる。ブレードユニットは、ハンドルと連結するように構成されている。ブレードユニットは、ハンドルに連結されると、枢動軸に沿って枢動することができる。ブレードユニットをカスタマイズするために、例えば特定の領域でより近い剃毛を達成するために、またはブレードユニットのガードバーの前に潤滑ストリップを設けるために、異なる枢動軸を提供するために、全く新しいブレードユニットが購入される。また、ブレードユニットのブレードが鈍くなったら、シェービングかみそり全体を交換する必要があるかもしれない。
【発明の概要】
【０００３】
本概念は、従来のシェービングかみそりの前述の不利点を克服する、シェービングかみそりと共に使用するためのヘッドコンバータを提供する。
【０００４】
本概念の一態様では、ヘッドコンバータを提供することによって、上記のことを達成することができる。ヘッドコンバータは、ブレードユニットと連結されるように構成されたフレームと、フレームと枢動可能に連結されかつハンドルと連結されるように構成された相互接続部材とを含むヘッドコンバータを含み得る。フレームは長手方向軸に沿って延びてもよく、１つまたは複数の支持体を含んでもよい。１つまたは複数の支持体のうちの少なくとも１つは、付勢部材と当接し相互作用するように構成されたカム面を有してもよい。ブレードユニットは第１の枢動軸を有してもよい。ブレードユニットとフレームとが連結されると、ブレードユニットを有するフレームは第２の枢動軸に沿って枢動することができる。第１の枢動軸と第２の枢動軸は異なっていてもよい。フレームおよび支持体は、ブレードユニットの底面を支持するように構成されていてもよい。ヘッドコンバータは、フレームから延在するシートをさらに含んでもよく、それにより、ブレードユニットは、フレームおよびシート内に着座することによってフレームに連結される。シートの上面は、潤滑剤、滑走補助装置、またはガードバーとして機能するように構成されてもよい。１つまたは複数の支持体のうちの少なくとも１つは連結構造を有してもよく、連結構造は、ブレードユニットがフレームと連結されるようにブレードユニット上の対応するフックと相互作用するように構成されてもよい。フレームは、ブレードユニットと取り外し可能に連結されるように構成されてもよい。フレームは、ブレードユニットがフレームと連結されるようにブレードユニットの対応する凹部によって受容されるように構成された少なくとも１つの突起を含み得る。相互接続部材は、ハンドルの接続部を受けるように構成された凹部を含み得る。相互接続部材は、ハンドルの付勢部材がそれを通って延びてフレームのカム面と相互作用するための開口部を含むことができる。フレームは２つの窪みを含み得る。相互接続部材は、相互接続部材がフレームと枢動可能に連結されるように、フレーム内の２つの窪みに対応する２つの取り付け構成要素を含み得る。２つの取り付け部品はシェルベアリングであり得る。
【０００５】
本概念の別の態様では、シェービングかみそりを提供することによって上記のことを達成することができる。シェービングかみそりは、ハンドルと、ハンドルと取り外し可能に連結されたヘッドコンバータと、ヘッドコンバータと連結されたブレードユニットとを含み得る。ヘッドコンバータは、長手方向軸に沿って延びるフレームを含み得る。フレームは１つまたは複数の支持体を含み得る。１つまたは複数の支持体のうちの少なくとも１つは、付勢部材と当接し相互作用するように構成されたカム面を有してもよい。ヘッドコンバータは、フレームと枢動可能に連結され、ハンドルと連結されるように構成された相互接続部材をさらに含み得る。
【０００６】
以上の説明は例示的であり、限定的な意味ではない。例の多くの特徴は、例のうちのいずれかの他の特徴を参照してまたは参照せずに使用することができる。本概念のさらなる態様、利点、および／または有用性は、以下の説明に部分的に記載され、そして部分的にはその説明から明らかになり、または本概念の実施によって習得され得る。
【図面の簡単な説明】
【０００７】
前述の発明の概要ならびに以下の詳細な説明は、添付の図面と併せて読むとより良く理解されるであろう。例示の目的で、本開示のいくつかの例を図面に示す。しかしながら、本概念は、示された正確な実施例および特徴に限定されないことを理解されたい。本明細書に組み込まれてその一部を構成する添付の図面は、本概念と一致する装置の実装を示し、説明と一緒に、本概念と一致する利点および原理を説明するのに役立つ。
【図１】図１Ａは、ハンドルを有するシェービングかみそり、ヘッドコンバータの第１の例、およびブレードユニットの斜視図を示す図である。  図１Ｂは、図１Ａのシェービングかみそりの分解斜視図を示す図である。
【図２】図２は、図１Ａのブレードユニットの斜視図を示す図である。
【図３Ａ】図３Ａは、フレームおよび相互接続部材を備えた図１Ａのヘッドコンバータの上面斜視図を示す図である。
【図３Ｂ】図３Ｂは、フレームおよび相互接続部材を備えた図１Ａのヘッドコンバータの底面斜視図を示す図である。
【図４Ａ】図４Ａは、ブレードユニットおよびハンドルの一部と連結された図１Ａのヘッドコンバータの底面斜視図を示す図である。
【図４Ｂ】図４Ｂは、ブレードユニットと連結したフレームの断面図を示す図である。
【図５】図５Ａは、ハンドル付きシェービングかみそり、ヘッドコンバータの第２の例、およびブレードユニットの斜視図を示す図である。  図５Ｂは、図５Ａのシェービングかみそりの分解斜視図を示す図である。
【図６】図６は、図５Ａのブレードユニットの斜視図を示す図である。
【図７Ａ】図７Ａは、フレームおよび相互接続部材を有する図５Ａのヘッドコンバータの上面斜視図を示す図である。
【図７Ｂ】図７Ｂは、フレームおよび相互接続部材を有する図５Ａのヘッドコンバータの底面斜視図を示す図である。
【図８Ａ】図８Ａは、ブレードユニットおよびハンドルの一部と連結された図５Ａのヘッドコンバータの底面斜視図を示す図である。
【図８Ｂ】図８Ｂは、ブレードユニットと連結されたフレームの断面図を示す図である。
【図９】図９Ａは、ハンドル付きシェービングカミソリ、ヘッドコンバータの第３の例、およびブレードユニットの斜視図を示す図である。  図９Ｂは、図９Ａのシェービングかみそりの分解斜視図を示す図である。
【図１０】図１０は、図９Ａのブレードユニットの斜視図を示す図である。
【図１１Ａ】図１１Ａは、フレームおよび相互接続部材を有する図９Ａのヘッドコンバータの上面斜視図を示す図である。
【図１１Ｂ】図１１Ｂは、フレームおよび相互接続部材を有する図９Ａのヘッドコンバータの底面斜視図を示す図である。
【図１２Ａ】図１２Ａは、ブレードユニットおよびハンドルの一部と連結された図９Ａのヘッドコンバータの底面斜視図を示す図である。
【図１２Ｂ】図１２Ｂは、ブレードユニットと連結されたフレームの断面図を示す図である。
【発明を実施するための形態】
【０００８】
本概念は、その適用において、構造の詳細および以下の説明に記載されるかまたは図面に示される構成要素の実施例に限定されないことを理解されたい。図面および記載された説明は、特許保護が求められる発明を製造および使用することを当業者に教示するために提供されている。本概念は他の実施例が可能であり、様々な方法で実施および実行することができる。当業者であれば、本概念の態様を組み込んだ実際の商業的実施例の開発には、多数の実施形態、すなわち商業的実施例に対する開発者の最終目標を達成するための特定の決定が必要となることを理解されよう。これらの努力は複雑で時間がかかる可能性があるが、それにもかかわらず、これらの努力は、本開示の恩恵を受けるという当業者にとっては日常的な仕事であろう。
【０００９】
Ｉ．専門用語
本明細書で使用されている表現および用語は説明を目的としたものであり、限定と見なされるべきではない。例えば、「ａ」などの単数形の用語の使用は、品目の数を制限することを意図していない。また、これらに限定されないが、「上部」、「底部」、「左」、「右」、「上方」、「下方」、「下」、「上」、および「側」などの関係を示す用語の使用は、図への特定の参照において明確な説明のために使用されており、本概念または添付の特許請求の範囲の範囲を限定することを意図するものではない。さらに、本概念の特徴のうちのいずれか１つを別々にまたは他の特徴と組み合わせて使用することができることを理解されたい。本概念の他のシステム、方法、特徴、および利点は、図面および発明を実施するための形態を検討することで当業者には明らかになり、または明らかになるであろう。そのような追加のシステム、方法、特徴、および利点はすべて、この説明に含まれ、本概念の範囲内にあり、添付の特許請求の範囲によって保護されることを意図している。
【００１０】
さらに、発明を実施するための形態および添付の特許請求の範囲で使用される「実質的に」などの、ただしこれらに限定されない任意の程度の用語は、正確なまたは類似の、しかし正確な構成ではないものを含むと理解されるべきである。例えば、「実質的に平坦な表面」は、正確な平坦な表面または類似の、しかし正確に平坦な表面ではないものを有することを意味する。同様に、発明を実施するための形態および添付の特許請求の範囲で使用される「約」または「およそ」という用語は、列挙された値、または列挙された値の３倍大きい、または３分の１である値を含むと理解されるべきである。例えば、約３ｍｍは１ｍｍから９ｍｍまでのすべての値を含み、約５０度は１６．６度から１５０度までのすべての値を含む。
【００１１】
さらに、本概念は多くの異なる形態の実施例の影響を受けやすいので、本開示は本概念の原理の一例と見なされるべきであり、本概念を図示され、説明される特定の実施例に限定することを意図しない。本概念の特徴のうちの任意の１つは、別々にまたは他の任意の特徴と組み合わせて使用され得る。発明を実施するための形態における「実施例」および／または「実施形態」などの用語への言及は、言及されている１つおよび／または複数の特徴が少なくとも発明を実施するための形態の１つの態様に含まれることを意味する。発明を実施するための形態中の「実施例」および／または「実施形態」などの用語への別々の言及は、必ずしも同じ実施例を指すわけではなく、別段の指示がない限りおよび／または発明を実施するための形態から当業者には容易に明らかとなる場合を除き相互排除的でもない。例えば、ある実施例に記載されている特徴、構成、処理、ステップ、動作などは、他の実施例にも含まれることがあるが、必ずしも含まれる必要はない。したがって、本概念は、本明細書に記載の実施例の様々な組み合わせおよび／または統合を含み得る。さらに、本明細書に記載されているように、本開示の全ての態様はその実施が必須ではない。同様に、本概念の他のシステム、方法、特徴、および利点は、図面および発明を実施するための形態を検討することで当業者には明らかになり、または明らかになるであろう。そのような追加のシステム、方法、特徴、および利点はすべて、この発明を実施するための形態に含まれ、本概念の範囲内であり、特許請求の範囲によって包含されることが意図されている。
【００１２】
最後に、本明細書で使用される「または」および「および／または」という用語は、包含的であると解釈されるか、または任意の１つまたは任意の組合せを意味するものと解釈されるべきである。したがって、「Ａ、Ｂ、またはＣ」あるいは「Ａ、Ｂおよび／またはＣ」は、以下のいずれかを意味する。「Ａ」、「Ｂ」、「Ｃ」。「ＡとＢ」、「ＡとＣ」、「ＢとＣ」、「Ａ、Ｂ、およびＣ」。この定義に対する例外は、要素、機能、ステップ、または行為の組み合わせが、ある意味で本質的に相互に排他的である場合にのみ発生する。
【００１３】
ＩＩ．全体的なアーキテクチャ
図１Ａおよび図１Ｂは、シェービングヘッド１３と連結されたハンドル１９０を含むシェービングかみそり１０を示す。シェービングヘッド１３は、ブレードユニット１００とヘッドコンバータ１２とを含む。ヘッドコンバータ１２は、フレーム１３０と相互接続部材１６０とを含む。少なくとも一例では、フレーム１３０は、ブレードユニット１００と取り外し可能に連結するように構成されてもよい。他の例では、フレーム１３０はブレードユニット１００と固定的に連結されてもよい。フレーム１３０は相互接続部材１６０と枢動可能に連結することができ、相互接続部材１６０はハンドル１９０と連結するように構成することができる。フレーム１３０は、相互接続部材１６０と固定的に連結されてもよい。他の例では、フレーム１３０は相互接続部材１６０と取り外し可能に連結することができる。さらに他の例では、ヘッドコンバータ１２は、フレーム１３０がハンドル１９０と直接連結され得るように相互接続部材１６０を含まなくてもよい。
【００１４】
ハンドル１９０は、近位端１９１と遠位端１９２との間でＹ軸に沿ってハンドル方向に延びる。シェービングヘッド１３は、ハンドル１９０の遠位端１９２と連結されてもよい。少なくとも一例では、シェービングヘッド１３は、例えばロックおよび解放機構によって取外し可能にハンドル１９０と連結されてもよい。他の例では、シェービングヘッド１３は、ハンドル１９０と固定的に連結されてもよく、その結果、シェービングヘッド１３は、ハンドル１９０と取り外し可能に連結され、またはハンドル１９０から選択的に分離されるようには構成されない。ハンドル１９０は、シェービングヘッド１３に対して枢動するように動作可能であり得る。他の例では、ハンドル１９０は、シェービングヘッド１３がハンドル１９０に対して枢動するように動作可能ではないように固定関係でシェービングヘッド１３に固定されてもよい。ハンドル１９０は、ユーザがハンドル１９０をしっかりと握ることを可能にするための任意の適切な形状であり得る。本概念の範囲から逸脱することなく、ハンドル１９０は、１つの連続曲線を含むか、あるいはハンドル１９０の全体またはかなりの部分に沿って延びる１つの直線部分またはいくつかの曲線部分および／もしくは直線部分を含み得る。ハンドル１９０は、指置き領域としても機能し得るボタン１９４を含み得る。ボタン１９４は、図１Ａおよび図１Ｂに示すように、球形であり得るが、ボタンまたは指置き領域として機能するための任意の適切な形状であり得る。ハンドル１９０はまた、接続部１９６を含み得る。接続部１９６は、ハンドル１９０とシェービングヘッド１３とを接続するように構成されてもよい。接続部１９６は、付勢部材１９８を含み得る。付勢部材１９８は、シェービングヘッド１３を枢動方向に付勢するようにシェービングヘッド１３に当接する。付勢部材１９８は、シェービングヘッド１３が枢動するための外力を受けると、ばねが圧縮するが、外力に抗して力を及ぼし、外力が取り除かれると、シェービングヘッド１３が静止位置に枢動するようにばねを含み得る。
【００１５】
図２に示すように、ブレードユニット１００は、ハウジング１０１を含む。ハウジング１０１は長手方向軸Ｘ-Ｘに沿って延びる。図示のように、ハウジング１０１は、実質的に長方形の形状を有するが、本概念の範囲から逸脱することなく、卵形または円形などの任意の適切な形状であり得る。ブレードユニット１００およびハウジング１０１は、上側１０２と、上側１０２と反対側の底部側１０４とを含み得る。底部側１０４はハンドル１９０に近接しており、上側１０２は少なくとも１つの皮膚接触領域１０３を含む。ハウジング１０１は、第１の長手方向壁１０６および第２の長手方向壁１０８を含む。第１の長手方向壁１０６および第２の長手方向壁１０８はそれぞれ、上側１０２と底部側１０４との間でハウジング１０１の方向Ｚに長手方向軸Ｘ−Ｘに沿って長手方向に延び得る。図示のように、第１の長手方向壁１０６および第２の長手方向壁１０８は、互いに実質的に平行に延びる。第１の側壁１１０および第２の側壁１１２は、ハウジング１０１の方向Ｙに沿って互いに実質的に平行に、第１の長手方向壁１０６と第２の長手方向壁１０８との間に延び得る。第１の側壁１１０および第２の側壁１１２もまた、ハウジング１０１の方向Ｚに沿って上側１０２と底部側１０４との間に延びる。ハウジング１０１は、本概念の範囲から逸脱することなく、プラスチック、金属、他の適切な材料、またはそれらの任意の組み合わせから作製され得る。
【００１６】
ブレードユニット１００は、ユーザの剃毛体験を補助しそれに寄与する複数の構成要素１１３を含む。複数の構成要素１１３のうちの１つは、ハウジング１０１内に配置され保持される複数のブレード１１６を含んでもよい。複数のブレード１１６は長手方向軸Ｘ−Ｘに沿って延びる。少なくとも一例では、ブレードユニット１００は、本概念の範囲から逸脱することなく、１つ、２つ、３つ、４つ、またはそれ以上のブレード１１６を含むことができる。複数のブレード１１６は、ハウジング１０１内に移動可能に配置されるかまたは自由に取り付けられてもよい。例えば、複数のブレード１１６は、ハウジング１０１から延びる弾性フィンガと連結することができる。他の例では、複数のブレード１１６はハウジング１０１内に固定的に配置されてもよい。
【００１７】
ブレードユニット１００の複数の構成要素１１３はまた、ブレードユニット１００上に配置されかつ／またはその内部に保持されたキャップ１１４、潤滑ストリップ１１５、およびガードバー１１８を含み得る。キャップ１１４は第１の長手方向壁１０６と連結することができる。潤滑ストリップ１１５はキャップ１１４の上側１０２に配置されて、摩擦低減効果、抗刺激効果を送達し、かつ／または剃毛後に潤滑を提供する。ガードバー１１８は、キャップ１１４の反対側の第２の長手方向壁１０８と連結されて、剃毛中に皮膚を伸ばすか、または皮膚に加えられる力を分配し、それによってブレードユニット１００をより近くで剃毛しながら皮膚を横切って滑らせる。キャップ１１４、潤滑ストリップ１１５、およびガードバー１１８はそれぞれ、長手方向軸Ｘ-Ｘに沿って延びる。本概念の範囲から逸脱することなく、追加の構成要素、例えばカバーおよび／あるいは１つまたは複数のトリミングブレードをブレードユニット１００に含めてその中に保持することもできる。
【００１８】
複数の構成要素１１３のうちの１つ以上は、リテーナ１１７によってブレードユニット１００内またはブレードユニット１００上に保持することができる。例えば、リテーナ１１７は、ブレードユニット１００の上または中に複数のブレード１１６、キャップ１１４、潤滑ストリップ１１５、および／またはガードバー１１８を保持するように動作可能であり得る。図示のように、リテーナ１１７は、（ｉ）複数の構成要素の一部、例えば側面、または複数の構成要素１１３の方向Ｘに沿った端部、および（ｉｉ）側壁１１０、１１２をしっかりと当接して部分的に覆うことによって構成要素１１３を保持する。リテーナ１１７は、本概念の範囲から逸脱することなく、ブレードユニット１００内またはブレードユニット１００上に１つまたは複数の他の構成要素を固定するように動作可能であり得る。本概念の範囲から逸脱することなく、構成要素１１３の１つ以上を、例えば他の手段を介して、リテーナ１１７なしでブレードユニット１００に固定することもできる。
【００１９】
ブレードユニット１００は、図３Ａ、図３Ｂ、図４Ａ、および図４Ｂに示されるヘッドコンバータ１２と取り外し可能に連結されるように構成されてもよい。ヘッドコンバータ１２は、フレーム１３０と、フレーム１３０と枢動可能に連結された相互接続部材１６０とを含む。フレーム１３０は、長手方向軸Ｘ-Ｘに沿って延びるハウジング１３１を含む。ハウジング１３１はまた、Ｙ方向に沿って延在し、ブレードユニット１００の支持体として機能し得る２つの側面１３５、１３６を含む。フレーム１３０はまた、ハウジング１３１から延びる１つまたは複数の支持体１３２を含み得る。支持体１３２は、ブレードユニット１００の底部側１０４を支持するのを助けるように構成されてもよい。支持体１３２は、２つの側面１３５、１３６の間に設けられてもよく、図示のように、２つの側面１３５、１３６と実質的に平行に、ハウジング１３１からＹ方向に沿って延びてもよい。しかしながら、支持体１３２は、フレーム１３０と共に、ブレードユニット１００を支持する限り、本概念の範囲から逸脱することなく、２つの側面１３５、１３６の間に延びるか、または任意の他の所望の向きで、長手方向軸Ｘ-Ｘに沿ってフレーム１３０内に設けることもできる。図３Ａおよび図３Ｂに示すように、３つの支持体１３２が設けられているが、必要に応じてより多いまたはより少ない支持体１３２を設けてもよい。
【００２０】
フレーム１３０のハウジング１３１もまた、図３Ａ〜図４Ｂに示すように、長手方向軸Ｘ-Ｘに沿って延びるトップバー１３７を含む。トップバー１３７は、実質的に長方形のフレーム１３０を作り出すために、２つの側面１３５、１３６の間にまたがってもよい。図示のように、トップバー１３７も支持体１３２を接続することができる。他の例では、トップバー１３７は支持体１３２に接続されていなくてもよい。
【００２１】
フレーム１３０は、上側１３８と、上側１３８と反対側の底部側１３９とを含む。フレーム１３０の上側１３８は、ブレードユニット１００の底部側１０４に当接してこれを支持する。図３Ｂに示すように、底部側１３９に沿って、２つの支持部１３２は連結構造１３３を含む。連結構造１３３は、ブレードユニット１００がフレーム１３０と取り外し可能に連結されるように、ブレードユニット１００上の対応するフック１２０（図４に示される）と相互作用するように構成されてもよい。本概念の範囲から逸脱することなく、ブレードユニット１００をフレーム１３０に取り外し可能に連結するための異なるおよび／または追加の方法を提供することができる。ブレードユニット１００がフレーム１３０に取り外し可能に連結されると、鈍いとき、または必要に応じて、全く新しいシェーバヘッドまたはシェービングかみそりを購入して提供する必要なしに、ブレードユニット１００を交換することができる。したがって、ブレードユニット１００を別々に取り外すことができることは、より安価な選択肢を提供する。また、フレーム１３０およびヘッドコンバータ１２は、必要に応じてカスタマイズを提供するために、異なるブレードユニット１００およびハンドル１９０と共に使用されてもよい。他の例では、ブレードユニット１００がフレーム１３０と取り外し可能に連結されないように、ブレードユニット１００はフレーム１３０と固定連結されてもよい。
【００２２】
シート１４０は、フレーム１３０の上側１３８に沿って延びてもよい。シート１４０は、ブレードユニット１００をフレーム１３０およびシート１４０内に着座させることによってブレードユニット１００をフレーム１３０に接続することができるようにフレーム１３０から延在する。シート１４０は、フレーム１３０からＺ方向に延びていてもよい。図示のように、シート１４０はフレーム１３０に対して実質的に垂直であり得る。しかし、シート１４０は、本概念の範囲から逸脱することなく、任意の所望の角度でフレーム１３０から予想通りに延びることができる。シート１４０は、ブレードユニット１００の第２の長手方向壁１０８を受けることができるシート面１４２を含むことができる。例えば、ブレードユニット１００は、フレーム１３０の上側１３８とシート１４０のシート面１４２とに当接しながらヘッドコンバータ１２内に着座する。
【００２３】
シート１４０は上面１５０を含み得る。シート１４０の上面１５０は、シェービングヘッド１３をカスタマイズする。例えば、シート１４０の上面１５０は、滑走補助を提供するための潤滑剤として、ガードバーとして、および／または任意の他の所望の機能として機能し得る。したがって、シート１４０の上面１５０は、ユーザが全く新しいシェービングヘッドを購入する必要なしに、ブレードユニット１００のための新しいまたは追加の機能を可能にし得る。さらに、シート１４０は、機能上、ブレードユニット１００のための延長壁を提供することができる。したがって、シェービングヘッド１３の肌当接面を広げることができる。また、皮膚がシート１４０に接触する角度は、ブレードユニット１００の第２の長手方向壁１０８のそれとは異なり得る。
【００２４】
図４Ｂに示すように、ブレードユニット１００は、ヘッドコンバータ１２なしで、第１の枢動軸１００Ｐの周りを枢動する。例えば、第１の枢動軸１００Ｐは、ガードバー１１８とキャップ１１４との間の距離のほぼ中央に配置されてもよく、ブレード１１６の縁部および長手方向軸Ｘ-Ｘと平行であってもよい。しかしながら、ブレードユニット１００がヘッドコンバータ１２と連結されると、シェービングヘッド１３は、長手方向軸Ｘ-Ｘと平行であり得る第２の枢動軸１３Ｐの周りを枢動する。第１の枢動軸１００Ｐと第２の枢動軸１３Ｐとは異なっていてもよい。第２の旋回軸１３Ｐは、例えば領域１３ＰＡ内で、ブレード１１６の領域外に配置されてもよい。領域１３ＰＡは、ブレード１１６の前にあってガードバー１１８の領域内にあり得る。領域１３ＰＡは、ガードバー１１８の開始面１１８０からの長さ１３Ｐｌ、および上側１０２からの高さ１３Ｐｈを有することができる。領域１３ＰＡは、図４Ｂの断面図で示されるように実質的に長方形の形状を有し得るが、他の例では、楕円形、円形、正方形、または三角形などの任意の適切な形状であり得る。長さ１３Ｐｌは、ガードバー１１８の開始面１１８０から約２ｍｍであり得、高さ１３Ｐｈは、上側１０２から約１ｍｍであり得る。少なくとも一例では、第２の枢動軸１３Ｐは長さ１３Ｐｌおよび高さ１３Ｐｈの約０．５倍であり得る。例えば、図４Ｂに示すように、第２の枢動軸１３Ｐは、ガードバー１１８の開始面１１８０から約１ｍｍ、そして上側１０２から約１ｍｍであり得る。枢動軸の位置がブレード１１６の領域外にあると、力がブレード１１６に加わらないので、ユーザによって剃毛中に加えられる力を吸収することができ、その結果、より積極的でない剃毛経験をもたらす。したがって、ヘッドコンバータ１２は、カスタマイズされた、より正確で快適な剃毛体験をユーザに提供し得る。
【００２５】
ブレードユニット１００がヘッドコンバータ１２またはフレーム１３０と連結されているとき、ブレードユニット１００は実質的に動かなくてもよい。例えば、ブレードユニット１００は、フレーム１３０およびシート１４０内に着座して連結構造１３３およびフック１２０と接続されたときに、フレーム１３０から実質的に離れて動くことはない。またフレーム１３０の底部側１３９に沿って、支持体１３２の少なくとも１つはカム面１５２を含むことができる。フレーム１３０のカム面１５２は、フレーム１３０とブレードユニット１００とが別々に動くことなく一緒に枢動するように、ハンドル１９０の付勢部材１９８に当接する。
【００２６】
図示されるように、フレーム１３０は実質的に長方形であり得るが、フレーム１３０の形状は、本概念の範囲から逸脱することなく、卵形または円形などの異なる形状であり得る。フレーム１３０は、金属、プラスチックまたはガラスなどの任意の成形可能な材料、あるいは木材などの他の材料またはそれらの任意の組み合わせで作製することができる。
【００２７】
相互接続部材１６０は、フレーム１３０と枢動可能に連結することができる。相互接続部材１６０は、相互接続部材１６０がフレーム１３０と枢動可能に連結されるように、フレーム１３０の底部側１３９に形成された２つの窪み１５４（図１Ｂに示す）と対応する複数の取り付け構成要素１６６を含み得る。少なくとも一例では、取り付け構成要素１６６はシェルベアリングとすることができる。本概念の範囲から逸脱することなく、相互接続部材１６０とフレーム１３０とを枢動可能に連結する他の方法を提供することができる。
【００２８】
相互接続部材１６０はハウジング１６２を含む。ハウジング１６２は、ハンドル１９０の接続部１９６を受容するように構成され得る凹部１６３を有し得る。このように、接続部１９６は、相互接続部材１６０とハンドル１９０との連結を提供するために凹部１６３内に挿入されてもよい。相互接続部材１６０はまた、開口部１６４を含み得、それを通してハンドル１９０の付勢部材１９８が延びてフレーム１３０と相互作用することができる。開口部１６４は、相互接続部材１６０の凹部１６３と連通することができる。しかしながら、ハンドル１９０がヘッドコンバータ１２と連結され、付勢部材１９８がシェービングヘッド１３と相互作用する限り、ハンドル１９０は、本概念から逸脱することなく相互接続部材１６０と連結されて他の方法でフレーム１３０と相互作用し得る。
【００２９】
図５Ａ〜５Ｂは、シェービングヘッド２３と連結されたハンドル２９０を含むシェービングかみそり２０の別の例を図示する。シェービングヘッド２３は、ブレードユニット２００とヘッドコンバータ２２とを含む。ヘッドコンバータ２２は、フレーム２３０と相互接続部材２６０とを含む。少なくとも一例では、フレーム２３０は、ブレードユニット２００と取り外し可能に連結するように構成することができる。他の例では、フレーム２３０はブレードユニット２００と固定的に連結されてもよい。フレーム２３０は相互接続部材２６０と枢動可能に連結することができ、相互接続部材２６０はハンドル２９０と連結するように構成することができる。フレーム２３０は、相互接続部材２６０と固定的に連結することができる。他の例では、フレーム２３０は相互接続部材２６０と取り外し可能に連結することができる。さらに他の例では、ヘッドコンバータ２２は、フレーム２３０がハンドル２９０と直接連結されるように相互接続部材２６０を含まなくてもよい。
【００３０】
ハンドル２９０は、近位端２９１と遠位端２９２との間でＹ軸に沿ってハンドル方向に延びる。シェービングヘッド２３は、ハンドル２９０の遠位端２９２と連結されている。少なくとも一例では、シェービングカートリッジ２３は、例えばロックおよび解放機構によって取り外し可能にハンドル２９０と連結されてもよい。他の例では、シェービングヘッド２３は、ハンドル２９０と固定的に連結されてもよく、その結果、シェービングヘッド２３は、ハンドル２９０と取り外し可能に連結され、またはハンドルから選択的に分離されるようには構成されない。ハンドル２９０は、シェービングヘッド２３に対して枢動するように動作可能であり得る。他の例では、ハンドル２９０は、シェービングヘッド２３がハンドル２９０に対して枢動するように動作可能ではないように固定関係でシェービングヘッド２３に固定されてもよい。ハンドル２９０は、ユーザがハンドル２９０をしっかりと握ることを可能にするための任意の適切な形状であり得る。本概念の範囲から逸脱することなく、ハンドル２９０は、１つの連続曲線を含むか、あるいはハンドル２９０の全体またはかなりの部分に沿って延びる１つの直線部分またはいくつかの曲線部分および／もしくは直線部分を含み得る。ハンドル２９０は、指置き領域としても機能し得るボタン２９４を含み得る。ボタン２９４は、図５Ａおよび図５Ｂに示すように、球形であり得るが、ボタンまたは指置き領域として機能するための任意の適切な形状であり得る。ハンドル２９０はまた、接続部２９６を含む。接続部２９６は、ハンドル２９０をシェービングヘッド２３に接続するように構成されてもよい。接続部２９６は付勢部材２９８を含む。付勢部材２９８は、シェービングヘッド２３を枢動方向に付勢するようにシェービングヘッド２３に当接する。付勢部材２９８は、シェービングヘッド２３が枢動するための外力を受けると、ばねが圧縮するが、外力に抗して力を加え、外力が取り除かれると、シェービングヘッド２３が静止位置に枢動するようにばねを含み得る。
【００３１】
図６に示すように、ブレードユニット２００はハウジング２０１を含む。ハウジング２０１は長手方向軸Ｘ-Ｘに沿って延びる。図示のように、ハウジング２０１は、実質的に長方形の形状を有するが、本概念の範囲から逸脱することなく、卵形または円形などの任意の適切な形状であり得る。ブレードユニット２００およびハウジング２０１は、上側２０２と、上側２０２と反対側の底部側２０４とを含む。底部側２０４はハンドル２９０に近接しており、上側２０２は少なくとも１つの皮膚接触領域２０３を含む。ハウジング２０１は、第１の長手方向壁２０６および第２の長手方向壁２０８を含む。第１の長手方向壁２０６および第２の長手方向壁２０８は、上側２０２と底部側２０４との間でハウジング２０１の方向Ｚに長手方向軸Ｘ−Ｘに沿って長手方向に延びる。図示のように、第１の長手方向壁２０６および第２の長手方向壁２０８は、互いに実質的に平行に延びる。第１の側壁２１０および第２の側壁２１２は、互いに実質的に平行に、ハウジング２０１の方向Ｙに沿って第１の長手方向壁２０６と第２の長手方向壁２０８との間に延びる。第１の側壁２１０および第２の側壁２１２もまた、ハウジング２０１の方向Ｚに沿って上側２０２と底部側２０４との間に延びる。ハウジング２０１は、本概念の範囲から逸脱することなく、プラスチック、金属、他の適切な材料、またはそれらの任意の組み合わせから作製され得る。
【００３２】
ブレードユニット２００は、ユーザの剃毛経験を補助しかつそれに寄与する複数の構成要素２１３を含み得る。複数の構成要素２１３のうちの１つは、ハウジング２０１内に配置され保持される複数のブレード２１６であり得る。ブレード２１６は長手方向軸Ｘ−Ｘに沿って延びる。少なくとも一例では、ブレードユニット２００は、本概念の範囲から逸脱することなく、１つ、２つ、３つ、４つ、またはそれ以上のブレード２１６を含むことができる。複数のブレード２１６は、ハウジング２０１内に移動可能に配置されるかまたは自由に取り付けられてもよい。例えば、複数のブレード２１６は、ハウジング２０１から延びる弾性フィンガと連結することができる。他の例では、複数のブレード２１６はハウジング２０１内に固定的に配置されてもよい。
【００３３】
ブレードユニット２００の複数の構成要素２１３はまた、シェービングヘッド２３上に配置されかつ／またはその内部に保持されたキャップ２１４、潤滑ストリップ２１５、およびガードバー２１８を含み得る。キャップ２１４は第１の長手方向壁２０６と連結されている。潤滑ストリップ２１５はキャップ２１４の上側２０２に配置されて、摩擦低減効果、抗刺激効果を送達し、かつ／または剃毛後に潤滑を提供する。ガードバー２１８は、キャップ２１４の反対側の第２の長手方向壁２０８と連結されて、剃毛中に皮膚を伸ばすか、または皮膚に加えられる力を分配し、それによってブレードユニット２００をより近くで剃毛しながら皮膚を横切って滑らせる。キャップ２１４、潤滑ストリップ２１５、およびガードバー２１８はそれぞれ、長手方向軸Ｘ-Ｘに沿って延びる。本概念の範囲から逸脱することなく、追加の構成要素、例えばカバーおよび／あるいは１つまたは複数のトリミングブレードをブレードユニット２００に含めてその中に保持することもできる。
【００３４】
複数の構成要素２１３のうちの１つ以上は、リテーナ２１７によってブレードユニット２００内またはブレードユニット２００上に保持することができる。例えば、リテーナ２１７は、ブレード２１６、キャップ２１４、潤滑ストリップ２１５、および／またはガードバー２１８をブレードユニット２００上またはブレードユニット２００内に保持するように動作可能であり得る。図示のように、リテーナ２１７は、（ｉ）複数の構成要素２１３の一部、例えば側面、または複数の構成要素２１３の方向Ｘに沿った端部、および（ｉｉ）側壁２１０、２１２をしっかりと当接して部分的に覆うことによって複数の構成要素２１３を保持する。リテーナ２１７は、本概念の範囲から逸脱することなく、ブレードユニット２００内またはブレードユニット２００上に１つまたは複数の他の構成要素を固定するように動作可能であり得る。本概念の範囲から逸脱することなく、構成要素２１３の１つ以上を、例えば他の手段を介して、リテーナ２１７なしでブレードユニット２００に固定することができる。
【００３５】
ブレードユニット２００は、図７Ａ、図７Ｂ、図８Ａ、および図８Ｂに示されるヘッドコンバータ２２と取り外し可能に連結されるように構成されてもよい。ヘッドコンバータ２２は、フレーム２３０と、フレーム２３０と枢動可能に連結された相互接続部材２６０とを含むことができる。フレーム２３０は、長手方向軸Ｘ-Ｘに沿って延びるハウジング２３１を含む。ハウジング２３１はまた、Ｙ方向に沿って延びる２つの側面２３５、２３６を含むことができ、それらはブレードユニット２００の支持体として機能することができる。フレーム２３０はまた、ハウジング２３１から延びる１つまたは複数の支持体２３２を含み得る。支持体２３２は、ブレードユニット２００の底部側２０４を支持するのを助けるように構成されてもよい。支持体２３２は、２つの側面２３５、２３６の間に設けられている。図示されるように、支持体２３２は、２つの側面２３５、２３６と実質的に平行に、ハウジング２３１からＹ方向に沿って延びる。しかし、支持体２３２は、フレームと共に、ブレードユニット２００を支持する限り、本概念の範囲から逸脱することなく、２つの側面２３５、２３６の間に延びるか、または他の任意の所望の向きに、長手方向軸に沿ってフレーム２３０内に設けられてもよい。図７Ａおよび図７Ｂに示すように、３つの支持体２３２が設けられているが、必要に応じてこれより多いまたは少ない支持体２３２を設けてもよい。
【００３６】
図５Ａ〜図８に示す例では、、フレーム２３０のハウジング２３１は、２つの側面２３５、２３６の間にまたがり長手方向軸Ｘ-Ｘに沿って延び、実質的に長方形のフレーム２３０を形成するトップバーを含まない。このように、２つの側面２３５、２３６と支持体２３２は接続されていなくてもよく、それは必要とされる材料の量を減らし、またヘッドコンバータ２２の製造コストを減らすことができる。
【００３７】
フレーム２３０は、上側２３８と、上側２３８の反対側の底部側２３９とを有する。フレーム２３０の上側２３８は、ブレードユニット２００の底部側２０４に当接してこれを支持する。図７Ｂに示すように、底部側部２３９に沿って、支持体２３２のうちの２つは、連結構造２３３を含み得る。連結構造２３３は、ブレードユニット２００がフレーム２３０と取り外し可能に連結されるように、ブレードユニット２００上の対応するフック２２０（図８に示される）と相互作用するように構成されてもよい。本概念の範囲から逸脱することなく、ブレードユニット２００をフレーム２３０に取り外し可能に連結する異なるおよび／または追加の方法を提供することができる。ブレードユニット２００がフレーム２３０に取り外し可能に連結されると、鈍いとき、または必要に応じて、全く新しいシェーバヘッドまたはシェービングかみそりを購入して提供する必要なしに、ブレードユニット２００を交換することができる。したがって、ブレードユニット２００を別々に取り外すことができることは、より安価な選択肢を提供する。また、フレーム２３０およびヘッドコンバータ２２は、必要に応じてカスタマイズを提供するために、異なるブレードユニット２００およびハンドル２９０と共に使用されてもよい。他の例では、ブレードユニット２００が取り外し可能にフレーム２３０と連結されないように、ブレードユニット２００はフレーム２３０と固定的に連結されてもよい。
【００３８】
シート２４０は、フレーム２３０の上側２３８に沿って延びることができる。シート２４０は、フレーム２３０から延在しており、ブレードユニット２００は、フレーム２３０およびシート２４０内に着座することによってフレーム２３０に接続することができる。シート２４０は、フレーム２３０からＺ方向に延びている。図示のように、シート２４０はフレーム２３０に対して実質的に垂直であり得る。しかしながら、シート２４０はまた、本概念の範囲から逸脱することなく、任意の所望の角度でフレーム２３０から延びることができる。シート２４０は、ブレードユニット２００の第２の長手方向壁２０８を受けることができるシート面２４２を有することができる。例えば、ブレードユニット２００は、フレーム２３０の上側２３８とシート２４０のシート面２４２とに当接しながらヘッドコンバータ２２内に着座することができる。
【００３９】
シート２４０は上面２５０を含む。シート２４０の上面２５０は、シェービングヘッド２３をカスタマイズすることができる。例えば、シート２４０の上面２５０は、滑走補助を提供するための潤滑剤として、ガードバーとして、および／または任意の他の所望の機能として機能し得る。このように、シート２４０の上面２５０は、ユーザが全く新しいシェービングヘッドを購入する必要なしに、ブレードユニット２００のための新しいまたは追加の機能を可能にし得る。さらに、シート２４０は、機能的には、ブレードユニット２００のための延長壁を提供することができる。したがって、シェービングヘッド２３の肌当接面を広げることができる。また、皮膚がシート２４０に接触する角度は、ブレードユニット２００の第２の長手方向壁２０８のそれとは異なり得る。
【００４０】
図８Ｂに示すように、ブレードユニット２００は、ヘッドコンバータ２２なしで、第１の枢動軸２００Ｐの周りを枢動する。例えば、第１の枢動軸２００Ｐは、ガードバー２１８とキャップ２１４との間の距離のほぼ中央に位置していてもよく、これは、ブレード２１６の縁部および長手方向軸と平行であってもよい。しかしながら、ブレードユニット２００がヘッドコンバータ２２と連結されると、シェービングヘッド２３は、長手方向軸と平行であり得る第２の枢動軸２３Ｐの周りで枢動し得る。第１の枢動軸２００Ｐと第２の枢動軸２３Ｐは異なってもよい。第２の枢動軸２３Ｐは、例えばブレード２１６の領域外の領域２３ＰＡに配置されてもよい。領域２３ＰＡは、ブレード２１６の前にあってガードバー２１８の領域内にあり得る。領域２３ＰＡは、ガードバー２１８の開始面２１８０からの長さ２３Ｐｌ、および上側２０２からの高さ２３Ｐｈを有する。領域２３ＰＡは、図８Ｂのように断面図で示されるように、実質的に長方形の形状を有するが、他の例では、楕円形、円形、正方形、または三角形などの任意の適切なスーツであり得る。長さ２３Ｐｌは、ガードバー２１８の開始面２１８０から約２ｍｍであり得、高さ２３Ｐｈは、上側２０２から約１ｍｍであり得る。少なくとも一例では、第２の枢動軸２３Ｐは、長さ２３Ｐｌおよび高さ２３Ｐｈの約０．５倍であり得る。例えば、図８Ｂに示すように、第２の枢動軸２３Ｐは、ガードバー２１８の開始面２１８０から約１ｍｍ、上側２０２から約１ｍｍであり得る。枢動軸の位置がブレード２１６の領域外にあると、力がブレード２１６に加わらないことがあるので、ユーザによる剃毛中に加えられる力を吸収することができ、その結果、より積極的でない剃毛経験をもたらす。したがって、ヘッドコンバータ２２は、カスタマイズされた、より正確で快適な剃毛体験をユーザに提供する。
【００４１】
ブレードユニット２００がヘッドコンバータ２２およびフレーム２３０と連結されているとき、ブレードユニット２００は実質的に動かなくてもよい。例えば、ブレードユニット２００は、フレーム２３０およびシート２４０内に着座して連結構造２３３およびフック２２０と接続されているときには、フレーム２３０から実質的に離れて動くことはない。またフレーム２３０の底部側２３９に沿って、支持体２３２の少なくとも１つはカム面２５２を含むことができる。フレーム２３０のカム面２５２は、フレーム２３０とブレードユニット２００が別々に動くことなく一緒に枢動するように、ハンドル２９０の付勢部材２９８と当接することができる。
【００４２】
フレーム２３０は、実質的に長方形であり得るが、フレーム２３０の形状は、本概念の範囲から逸脱することなく、卵形または円形などの異なる形状であり得る。フレーム２３０は、金属、プラスチックまたはガラスなどの任意の成形可能な材料、あるいは木材などの他の材料、またはそれらの任意の組み合わせで作製することができる。
【００４３】
相互接続部材２６０は、フレーム２３０と枢動可能に連結することができる。相互接続部材２６０は、相互接続部材２６０をフレーム２３０と枢動可能に連結することができるように、フレーム２３０の底部側２３９内の２つの窪み２５４（図５Ｂに示す）に対応する複数の取り付け構成要素２６６を含むことができる。少なくとも一例では、取り付け構成要素２６６はシェルベアリングであり得る。本概念の範囲から逸脱することなく、相互接続部材２６０とフレーム２３０とを枢動可能に連結する他の方法を提供することができる。
【００４４】
相互接続部材２６０はハウジング２６２を含む。ハウジング２６２は、ハンドル２９０の接続部分２９６を受けるように構成されている凹部２６３を有することができる。したがって、接続部２９６を凹部２６３に挿入して、相互接続部材２６０とハンドル２９０とを連結することができる。相互接続部材２６０はまた、ハンドル２９０の付勢部材２９８がフレーム２３０と相互作用するように延びることができる開口部２６４を含み得る。開口部２６４は、相互接続部材２６０の凹部２６３と連通することができる。しかしながら、ハンドル２９０がヘッドコンバータ２２と連結され、付勢部材２９８がシェービングヘッド２３と相互作用する限り、ハンドル２９０は、本概念から逸脱することなく相互連結部材２６０と連結されて他の方法でフレーム２３０と相互作用し得る。
【００４５】
図９Ａ〜図９Ｂは、シェービングヘッド３３と連結されたハンドル３９０を含むシェービングかみそり３０の別の例を示す。シェービングヘッド３３は、ブレードユニット３００とヘッドコンバータ３２とを含み得る。ヘッドコンバータ３２は、フレーム３３０と相互接続部材３６０とを含むことができる。少なくとも一例では、フレーム３３０は、ブレードユニット３００と取り外し可能に連結するように構成することができる。他の例では、フレーム３３０はブレードユニット３００と固定的に連結されてもよい。フレーム３３０は相互連結部材３６０と枢動可能に連結されてもよく、相互接続部材３６０はハンドル３９０と連結されるように構成されてもよい。フレーム３３０は、相互接続部材３６０と固定的に連結することができる。他の例では、フレーム３３０は相互接続部材３６０と取り外し可能に連結することができる。さらに他の例では、ヘッドコンバータ３２は、フレーム３３０がハンドル３９０と直接連結されるように相互接続部材３６０を含まなくてもよい。
【００４６】
ハンドル３９０は、近位端３９１と遠位端３９２との間でＹ軸に沿ってハンドル方向に延びる。シェービングヘッド３３は、ハンドル３９０の遠位端３９２と連結されてもよい。少なくとも一例では、シェービングヘッド３３は、例えばロックおよび解放機構によって取外し可能にハンドル３９０と連結されてもよい。他の例では、シェービングヘッド３３は、ハンドル３９０と固定的に連結されてもよく、その結果、シェービングヘッド３３は、ハンドル３９０と取り外し可能に連結され、またはハンドル３９０から選択的に分離されるようには構成されなくてもよい。ハンドル３９０は、シェービングヘッド３３に対して枢動するように動作可能であり得る。他の例では、ハンドル３９０は、シェービングヘッド３３がハンドル３９０に対して枢動するように動作可能ではないように固定関係でシェービングヘッド３３に固定されてもよい。ハンドル３９０は、ユーザがハンドル３９０をしっかりと握ることを可能にするための任意の適切な形状であり得る。本概念の範囲から逸脱することなく、ハンドル３９０はまた、１つの連続曲線を含むか、あるいはハンドル３９０の全体またはかなりの部分に沿って延びる１つの直線部分またはいくつかの曲線部分および／もしくは直線部分を含み得る。ハンドル３９０は、指置き領域としても機能し得るボタン３９４を含み得る。ボタン３９４は、図９Ａおよび図９Ｂに示すように、球形であり得るが、ボタンまたは指置き領域として機能するための任意の適切な形状であり得る。ハンドル３９０はまた、接続部３９６を含み得る。接続部３９６は、ハンドル３９０をシェービングヘッド３３に接続するように構成されてもよい。接続部３９６は、付勢部材３９８を含み得る。付勢部材３９８は、シェービングヘッド３３を枢動方向に付勢するようにシェービングヘッド３３に当接してもよい。付勢部材３９８は、シェービングヘッド３３が外力を受けて枢動すると、バネが圧縮して外力に抗して力を及ぼし、外力が取り除かれると、シェービングヘッド３３が静止位置に枢動するようにばねを含み得る。
【００４７】
図１０に示すように、ブレードユニット３００は、ハウジング３０１を含む。ハウジング３０１は長手方向軸Ｘ-Ｘに沿って延びる。ハウジング３０１は、実質的に長方形の形状を有し得るが、本概念の範囲から逸脱することなく、卵形または円形などの任意の適切な形状であり得る。ブレードユニット３００およびハウジング３０１は、上側３０２と、上側３０２と反対側の底部側３０４とを含み得る。底部側３０４はハンドル３９０に近接しており、上側３０２は少なくとも１つの皮膚接触領域３０３を含み得る。ハウジング３０１は、第１の長手方向壁３０６および第２の長手方向壁３０８を含み得る。第１の長手方向壁３０６および第２の長手方向壁３０８はそれぞれ、上側３０２と底部側３０４との間でハウジング３０１の方向Ｚに長手方向軸Ｘ−Ｘに沿って長手方向に延び得る。第１の長手方向壁３０６および第２の長手方向壁３０８は、互いに実質的に平行に延びてもよい。第１の側壁３１０および第２の側壁３１２は、ハウジング３０１の方向Ｙに沿って互いに実質的に平行に第１の長手方向壁３０６と第２の長手方向壁３０８との間に延び得る。第１の側壁３１０および第２の側壁３１２もまた、ハウジング３０１の方向Ｚに沿って上側３０２と底部側３０４との間に延び得る。ハウジング３０１は、本概念の範囲から逸脱することなく、プラスチック、金属、他の適切な材料、またはそれらの任意の組み合わせから作製され得る。
【００４８】
ブレードユニット３００は、ユーザの剃毛体験を補助し、それに貢献する複数の構成要素３１３を含み得る。複数の構成要素３１３のうちの１つは、ハウジング３０１内に配置され保持される複数のブレード３１６を含んでもよい。ブレード３１６は長手方向軸Ｘ−Ｘに沿って延び得る。少なくとも一例では、ブレードユニット３００は、本概念の範囲から逸脱することなく、１つ、２つ、３つ、４つ、またはそれ以上のブレード３１６を含むことができる。複数のブレード３１６は、ハウジング３０１内に移動可能に配置されるかまたは自由に取り付けられてもよい。例えば、複数のブレード３１６は、ハウジング３０１から延びる弾性フィンガと連結することができる。他の例では、複数のブレード３１６はハウジング３０１内に固定的に配置されてもよい。
【００４９】
ブレードユニット３００の複数の構成要素３１３はまた、シェービングヘッド３３上に配置され、かつ／またはその内部に保持されたキャップ３１４、潤滑ストリップ３１５、およびガードバー３１８を含み得る。キャップ３１４は第１の長手方向壁３０６と連結することができる。潤滑ストリップ３１５はキャップ３１４の上側３０２に配置されて、摩擦低減効果、抗刺激効果を送達し、かつ／または剃毛後に潤滑を提供する。ガードバー３１８は、キャップ３１４の反対側の第２の長手方向壁３０８と連結されて、剃毛中に皮膚を伸ばすか、または皮膚に加えられる力を分配し、それによってブレードユニット３００をより近くで剃毛しながら皮膚を横切って滑らせる。キャップ３１４、潤滑ストリップ３１５、およびガードバー３１８はそれぞれ、長手方向軸Ｘ-Ｘに沿って延び得る。本概念の範囲から逸脱することなく、追加の構成要素、例えばカバーおよび／あるいは１つまたは複数のトリミングブレードをブレードユニット３００に含めてその中に保持することもできる。
【００５０】
複数の構成要素３１３のうちの１つ以上は、リテーナ３１７によってシェービングヘッド３３内またはその上に保持され得る。例えば、リテーナ３１７は、ブレード３１６、キャップ３１４、潤滑ストリップ３１５、および／またはガードバー３１８をブレードユニット３００上またはブレードユニット３００内に保持するように動作可能であり得る。図示のように、リテーナ３１７は、（ｉ）複数の構成要素３１３の一部、例えば側面、または複数の構成要素３１３の方向Ｘに沿った端部、および（ｉｉ）側壁３１０、３１２をしっかりと当接して部分的に覆うことによって複数の構成要素３１３を保持する。リテーナ３１７は、本概念の範囲から逸脱することなく、ブレードユニット３００内または上に１つまたは複数の他の構成要素を固定するように動作可能であり得る。本概念の範囲から逸脱することなく、複数の構成要素３１３のうちの１つ以上を、例えば他の手段を介して、リテーナ３１７なしでブレードユニット３００に固定することができる。
【００５１】
ブレードユニット３００は、図１１Ａ、図１１Ｂ、図１２Ａ、および図１２Ｂに示されるヘッドコンバータ３２と取り外し可能に連結されるように構成されてもよい。ヘッドコンバータ３２は、フレーム３３０と、フレーム３３０と枢動可能に連結され得る相互接続部材３６０とを含み得る。フレーム３３０は、長手方向軸Ｘ-Ｘに沿って延びるハウジング３３１を含み得る。ハウジング３３１はまた、Ｙ方向に沿って延びる２つの側面３３５、３３６を含んでもよく、これらはブレードユニット３００の支持体として機能してもよい。フレーム３３０はまた、ハウジング３３１から延びる１つまたは複数の支持体３３２を含み得る。図９Ａ〜図１２に示す例は、１つの支持体３３２のみを示す。しかしながら、本発明の範囲から逸脱することなく、より多くの支持体３３２を組み込むことができる。支持体３３２は、ブレードユニット３００の底部側３０４を支持するのを助けるように構成されてもよい。支持体３３２は、２つの側面３３５、３３６の間に設けられてもよい。図示のように、支持体３３２は、２つの側面３３５、３３６の間で等距離であり得るが、ブレードユニット３００のための適切な支持が提供される限り、任意の所望の位置に配置されてもよい。支持体３３２は、２つの側面３３５、３３６と実質的に平行に、ハウジング３３１からＹ方向に沿って延びることができる。しかしながら、支持体３３２は、フレームと共に、ブレードユニット３００を支持する限り、本概念の範囲から逸脱することなく、２つの側面３３５、３３６の間に延びるか、または他の任意の所望の向きに、長手方向軸に沿ってフレーム３３０内に設けられてもよい。
【００５２】
図９Ａ〜図１２Ｂに示す例では、フレーム３３０のハウジング３３１は、２つの側面３３５、３３６の間にまたがり長手方向軸線Ｘ-Ｘに沿って延びて実質的に長方形のフレーム３３０を形成するトップバーを含まない。このように、２つの側面３３５、３３６と支持部３３２は接続されていなくてもよく、これは必要な材料の量を減らすことができ、またヘッドコンバータ３２の製造コストを下げることができる。
【００５３】
フレーム３３０は、上側３３８と、上側３３８の反対側の底部側３３９とを有することができる。フレーム３３０の上側３３８は、ブレードユニット３００の底部側３０４に当接して支持することができる。ハウジング３３１の上側３３８に沿って、フレーム３３０は少なくとも１つの突起３３３を含み得る。図示のように、フレーム３３０は４つの突起３３３を含むが、突起３３３の数は所望に応じて変わり得る。少なくとも１つの突起３３３は、ブレードユニット３００の底部側３０４に沿って設けられ得る対応する凹部３２２（図９Ｂに示される）によって受容されるように構成され得る。少なくとも１つの突起３３３および凹部３２２は、ブレードユニット３００がフレーム３３０と取り外し可能に連結され得るように接続されるように構成され得る。本概念の範囲から逸脱することなく、ブレードユニット３００をフレーム３３０に取り外し可能に連結する異なるおよび／または追加の方法を提供することができる。ブレードユニット３００がフレーム３３０に取り外し可能に連結されると、鈍いとき、または必要に応じて、全く新しいシェーバヘッドまたはシェービングかみそりを購入して提供する必要なしに、ブレードユニット３００を交換することができる。したがって、ブレードユニット３００を別個に取り外すことができることは、より安価な選択肢を提供し得る。また、フレーム３３０およびヘッドコンバータ３２は、必要に応じてカスタマイズを提供するために、異なるブレードユニット３００およびハンドル３９０と共に使用されてもよい。他の例では、ブレードユニット３００がフレーム３３０と取り外し可能に連結されないように、ブレードユニット３００はフレーム３３０と固定連結されてもよい。
【００５４】
シート３４０は、フレーム３３０の上側３３８に沿って延びることができる。シート３４０は、ブレードユニット３００がフレーム３３０およびシート３４０内に着座することによってフレーム３３０に接続され得るようにフレーム３３０から延在してもよい。シート３４０は、フレーム３３０からＺ方向に延びてもよい。図示のように、シート３４０はフレーム３３０に対して実質的に垂直であり得る。しかしながら、シート３４０は、本概念の範囲から逸脱することなく、任意の所望の角度でフレーム３３０から延びることができる。シート３４０は、ブレードユニット３００の第２の長手方向壁３０８をその上に受けることができるシート面３４２を有することができる。例えば、ブレードユニット３００は、フレーム３３０の上側３３８とシート３４０のシート面３４２とに当接しながらヘッドコンバータ３２内に着座することができる。
【００５５】
シート３４０は上面３５０を含み得る。シート３４０の上面３５０は、シェービングヘッド３３をカスタマイズすることができる。例えば、シート３４０の上面３５０は、滑走補助を提供するための潤滑剤として、ガードバーとして、および／または任意の他の所望の機能として機能し得る。したがって、シート３４０の上面３５０は、ユーザが全く新しいシェービングヘッドを購入する必要なしに、ブレードユニット３００のための新しいまたは追加の機能を可能にし得る。さらに、シート３４０は、機能上、ブレードユニット３００のための延長壁を提供することができる。したがって、シェービングヘッド３３の肌当接面を広げることができる。また、皮膚がシート３４０に接触する角度は、ブレードユニット３００の第２の長手方向壁３０８のそれとは異なり得る。
【００５６】
図１２Ｂに示すように、ブレードユニット３００は、ヘッドコンバータ３２なしで、第１の枢動軸３００Ｐの周りを枢動することができる。例えば、第１の枢動軸３００Ｐは、ガードバー３１８とキャップ３１４との間の距離のほぼ中央に位置してもよく、これは、ブレード３１６の縁部および長手方向軸と平行であってもよい。しかしながら、ブレードユニット３００がヘッドコンバータ３２と連結され得るとき、シェービングヘッド３３は、長手方向軸Ｘ-Ｘと平行であり得る第２の枢動軸３３Ｐの周りで枢動する。第１の枢動軸３００Ｐと第２の枢動軸３３Ｐは異なっていてもよい。第２の枢動軸３３Ｐは、例えばブレード３１６の領域外の領域３３ＰＡに配置されてもよい。領域３３ＰＡは、ブレード３１６の前にあってガードバー３１８の領域内にあり得る。領域３３ＰＡは、ガードバー３１８の開始面３１８０からの長さ３３Ｐｌ、および上側３０２からの高さ３３Ｐｈを有することができる。領域３３ＰＡは、図１２Ｂのように断面図で示されるように、実質的に長方形の形状を有し得る。しかし、他の例では、楕円形、円形、正方形、または三角形などの任意の適切なスーツであり得る。長さ３３Ｐｌは、ガードバー３１８の開始面３１８０から約２ｍｍであり得、高さ３３Ｐｈは、上側３０２から約１ｍｍであり得る。少なくとも一例では、第２の枢動軸３３Ｐは、長さ３３Ｐｌおよび高さ３３Ｐｈの約０．５倍であり得る。例えば、図１２Ｂに示すように、第２の枢動軸３３Ｐは、ガードバー３１８の開始面３１８０から約１ｍｍ、上側３０２から約１ｍｍであり得る。枢動軸の位置がブレード３１６の領域外にあると、力がブレード３１６に加わらない可能性があるので、ユーザによる剃毛中に加わる可能性がある力を吸収することができ、その結果、より積極的でない剃毛経験をもたらす。したがって、ヘッドコンバータ３２は、カスタマイズされた、より正確で快適な剃毛体験をユーザに提供し得る。
【００５７】
ブレードユニット３００がヘッドコンバータ３２およびフレーム３３０と連結されてもよいとき、ブレードユニット３００は実質的に動かなくてもよい。例えば、ブレードユニット３００は、フレーム３３０およびシート３４０内に着座したときにフレーム３３０から実質的に離れて動くことができず、突起３３３および凹部３２２と接続されることができる。また、フレーム３３０の底部側３３９に沿って、支持体３３２の少なくとも１つはカム面３５２を含むことができる。フレーム３３０のカム面３５２は、フレーム３３０とブレードユニット３００とが別々に動くことなく一緒に枢動することができるように、ハンドル３９０の付勢部材３９８と当接することができる。
【００５８】
図示のように、フレーム３３０は実質的に長方形であるが、フレーム３３０の形状は、本概念の範囲から逸脱することなく、卵形または円形などの異なる形状であってもよいことが予想される。フレーム３３０は、金属、プラスチックまたはガラスなどの任意の成形可能な材料、あるいは木材などの他の材料またはそれらの任意の組み合わせで作ることができる。
【００５９】
相互接続部材３６０は、フレーム３３０と枢動可能に連結することができる。相互接続部材３６０は、相互接続部材３６０がフレーム３３０と枢動可能に連結され得るように、フレーム３３０の底部側３３９の２つの窪み３５４（図９Ｂに示される）に対応する複数の取り付け構成要素３６６を含み得る。少なくとも１つの例では、取り付け構成要素３６６はシェルベアリングであり得る。本概念の範囲から逸脱することなく、相互接続部材３６０とフレーム３３０とを枢動可能に連結する他の方法を提供することができる。
【００６０】
相互接続部材３６０は、ハウジング３６３を含み得る。ハウジング３６３は、ハンドル３９０の接続部３９６を受容するように構成されている凹部３６３を有することができる。したがって、接続部３９６を凹部３６３に挿入して、相互接続部材３６０とハンドル３９０との連結を提供することができる。図示されているように、相互接続部材３６０は、ハンドル３９０の付勢部材３９８がそれを通ってフレーム３３０と相互作用するように延在することができる開口部３６４も含むことができる。開口部３６４は、相互接続部材３６０の凹部３６３と連通することができる。しかしながら、ハンドルがヘッドコンバータ３２と連結され、部材３９８が、ヘッドコンバータ３２のフレーム３３０のカム面３５２と相互作用する限り、ハンドル３９０は、本概念から逸脱することなく、他のおよび／または追加の望ましい方法でフレーム３３０と相互作用するように相互接続部材３６０と連結されてもよい。
【００６１】
その広い発明概念から逸脱することなく、上述の実施例に変更を加えることができることを当業者は理解するであろう。したがって、本明細書の本開示は、開示された特定の実施例に限定されず、本概念の精神および範囲内の修正を網羅することを意図していることが理解される。
【図１】
2020516330.tif 000003
【図２】
2020516330.tif 000004
【図３Ａ】
2020516330.tif 000005
【図３Ｂ】
2020516330.tif 000006
【図４Ａ】
2020516330.tif 000007
【図４Ｂ】
2020516330.tif 000008
【図５】
2020516330.tif 000009
【図６】
2020516330.tif 000010
【図７Ａ】
2020516330.tif 000011
【図７Ｂ】
2020516330.tif 000012
【図８Ａ】
2020516330.tif 000013
【図８Ｂ】
2020516330.tif 000014
【図９】
2020516330.tif 000015
【図１０】
2020516330.tif 000016
【図１１Ａ】
2020516330.tif 000017
【図１１Ｂ】
2020516330.tif 000018
【図１２Ａ】
2020516330.tif 000019
【図１２Ｂ】
2020516330.tif 000020
【国際調査報告】
2020516330.tif 000021
2020516330.tif 000022